(57)【要約】【課題】  被験者にストレスを与えず、性格特性や肌特性を簡便且つ客観的に評価する方法を提供する。【解決手段】以下の工程（１）〜（３）を含む、性格特性の検査方法。  （１）被験者に、心地良さを惹起し且つ１回の刺激時間が３０〜９０秒間である触覚刺激を呈示する工程  （２）眼窩前頭皮質と背外側前頭前野の活性度を測定する工程  （３）眼窩前頭皮質の活性度と背外側前頭前野の活性度の微分値に基づいて性格特性を評価する工程【選択図】なし【特許請求の範囲】
【請求項１】
以下の工程（１）〜（３）を含む、性格特性の検査方法。
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
【請求項２】
以下の工程（１）〜（５）を含む、性格特性及び肌特性の検査方法
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
（４）前頭極の活性度を測定する工程
（５）前頭極の活性度に基づいて肌特性を評価する工程
【請求項３】
前記活性度を測定する工程は、脳内血液の酸素化ヘモグロビン濃度の変化及び脱酸素化ヘモグロビン濃度の変化を測定する請求項１又は２記載の方法。
【請求項４】
性格特性が、神経症的傾向及び外向性から選ばれる１種以上である請求項１〜３のいずれか１項記載の方法。
【請求項５】
眼窩前頭皮質の活性度によって神経症的傾向を検査し、背外側前頭前野の活性度の微分値によって外向性を検査する、請求項４記載の方法。
【請求項６】
肌特性が皮膚の保湿機能である請求項２〜４のいずれか１項記載の方法。
【発明の詳細な説明】
【技術分野】
【０００１】
本発明は、被験者の性格特性を検査する方法に関する。
【背景技術】
【０００２】
従来、化粧品販売店においては、顧客の肌状態に基づいて、最適な化粧品を推奨するサービスの提供、すなわちカウンセリングが行われている。そして、肌状態については、コルネオメーターのような機器を用いて、表皮角質に含まれる水分量等を計測することが行われている。
【０００３】
しかしながら、顧客の性格は多種多様であり、顧客一人ひとりをより満足させるには、肌状態だけでなく性格特性も同時に理解し、最適且つきめ細やかなケア方法を提案することが重要である。例えば、同じ乾燥肌のヒトであっても、ストレスを溜めやすい性格のヒトに対しては、リラックスできるケア方法も併せて提案することにより満足感を与えることができ、外向的で新しい物好きな性格のヒトに対しては、新しい触感の保湿化粧品を提案することにより満足感を与えることができる。
【０００４】
性格特性は、一般に質問紙による性格検査が行われるが、顧客の不信感をあおる、主観や意図の影響を受ける、という問題がある。
また、都市と森林空間といった外部環境変化に伴う生理変化からパーソナリティを推定する方法（特許文献１）や、暗算をさせる等のストレス負荷による脳血流変化から肌性格を検査する方法（特許文献２）等が報告されている。
しかしながら、測定環境を変えての測定は簡易に行えるものではなく、またストレスを負荷することは被験者に精神的又は肉体的負担をかけることになり、好ましくない。
【先行技術文献】
【特許文献】
【０００５】
【特許文献１】特開２０１０−１０４５０８号公報
【特許文献２】特開２００６−１６６６４０号公報
【発明の概要】
【発明が解決しようとする課題】
【０００６】
本発明は、被験者にストレスを与えず、性格特性や肌特性を簡便且つ客観的に評価する方法を提供することを目的とする。
【課題を解決するための手段】
【０００７】
本発明は、被験者に心地良さを惹起する感覚刺激を一定時間呈示した場合に生じる特定脳領域の活性度が、神経症的傾向、外向性といった性格特性、及び保湿機能のような肌特性と良く相関し、当該脳領域の活性度を指標として、被験者の性格特性を肌特性と併せて評価できることを見出した。
【０００８】
すなわち、本発明は、以下の１）及び２）に係るものである。
１）以下の工程（１）〜（３）を含む、性格特性の検査方法。
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
２）以下の工程（１）〜（５）を含む、性格特性及び肌特性の検査方法。
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
（４）前頭極の活性度を測定する工程
（５）前頭極の活性度に基づいて肌特性を評価する工程
【発明の効果】
【０００９】
本発明の方法によれば、測定場所等の外部環境を変化させることなく、且つストレスを与えることなく、非侵襲で短時間且つ簡便に被験者の性格特性を客観的に評価できる。また、同時に肌特性も評価できる。
【図面の簡単な説明】
【００１０】
【図１】脳血流の測定部位を示す概略図。
【図２】モーズレイ性格検査の判定チャート。
【図３】筆刺激の心地良さに関する官能評価の結果を示す図。
【図４−１】眼窩前頭皮質の活性度と神経症的傾向との関係を示す図。
【図４−２】背外側前頭前野の活性度の微分値と外向性との関係を示す図。
【図４−３】前頭極の活性度と角層水分量との関係を示す図。
【図５】木製乳棒刺激の心地良さに関する官能評価の結果を示す図。
【図６−１】眼窩前頭皮質の活性度と神経症的傾向との関係（木・６０秒刺激）を示す図。
【図６−２】背外側前頭前野の活性度の微分値と外向性との関係（木・６０秒刺激）を示す図。
【図６−３】前頭極の活性度と角層水分量との関係（木・６０秒刺激）を示す図。
【発明を実施するための形態】
【００１１】
本発明の性格特性の検査方法は、以下の工程（１）〜（３）を含むものである。
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
【００１２】
また、本発明の性格特性及び肌特性の検査方法は、以下の工程（１）〜（５）を含むものである。
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
（４）前頭極の活性度を測定する工程
（５）前頭極の活性度に基づいて肌特性を評価する工程
【００１３】
本発明において、検査の対象となる被験者としては、性格特性若しくは肌状態、又はその両者の客観的評価を望むヒト或いは必要とするヒトであれば特に限定されないが、好ましくは、化粧品販売においてカウンセリングの対象となる顧客が挙げられる。
【００１４】
本発明においては、第一に、被験者に心地良さを惹起するような感覚刺激が提示される。
ここで、「心地良さを惹起するような感覚刺激」としては、被験者が心地良いと感じる刺激であればその種類は限定されないが、Ｃ触覚線維を活性化するような触覚刺激が好ましい。具体的には皮膚を撫でることによりＣ触覚線維を活性化するような刺激が挙げられ、好適にはブラシ状の刺激部材によって皮膚を撫でることが挙げられる。ブラシ状の刺激部材としては、例えば筆、刷毛、ブラシ等が挙げられる。中でもリス、山羊、いたち、コリンスキー、ドウジャコウ、ウォーターバジャー等の動物の原毛を用いた毛質の柔らかい筆を用いるのがより好ましく、例えば灰リス１００％の毛と、毛を纏める金口、持ち手部分の木軸から構成される筆等が挙げられる。
【００１５】
感覚刺激を呈示する部位としては、前腕、顔面等が挙げられるが、好ましくは前腕外側である。
【００１６】
刺激部位は２〜４ヶ所設定するのが望ましく、心地良さの馴れの影響を排除する観点及び、測定時間の増大による負担を軽減する観点から、３ヶ所とするのがより好ましい。
【００１７】
刺激の提示は、ブラシ状の刺激部材を用いる場合、一定面積（例えば、２ｃｍ×１０ｃｍ四方）の範囲に速さ５ｃｍ/ｓ〜１０ｃｍ/ｓ、圧力０.５N〜１.０Nの強さで撫でる動作を一定時間行うことが挙げられる。刺激提示時間としては、脳浅部の活動を良好に計測する点から、３０秒間以上、好ましくは５０秒間以上で、且つ９０秒間以下、好ましくは８０秒間以下が挙げられる。また、３０〜９０秒間、好ましくは５０〜８０秒間が挙げられる。
【００１８】
また、斯かる刺激の呈示は、上記の手技を１回として、数回（例えば３〜７回、好ましくは４〜５回）繰り返して行うことが好ましい。
この場合に、刺激と刺激の間には２０〜４０秒間隔で安静状態を入れるのが望ましく、３０秒間隔とするのがより望ましい。
【００１９】
次いで、眼窩前頭皮質と背外側前頭前野の活性度が測定される。
これは、前頭葉の皮質組織、すなわち脳の浅部の脳血流の状態を測定するものである。具体的には、例えば近赤外線分光法を用いて前頭葉の皮質組織に存在する酸素化ヘモグロビン及び脱酸素化ヘモグロビンの濃度変化を計測することが挙げられる。
近赤外線分光法を用いた測定は、被検者の頭部に国際１０−２０法に基づき複数の光プローブを取り付け、各光プローブの先端から６００〜９００（ｎｍ）程度の近赤外線を照射するとともに、その反射光を光プローブで受光するものである。すなわち、光プローブ先端から発射した近赤外線は、脳の表面９（ｍｍ）程度の深さ（脳浅部）にまで透過し、血液中のヘモグロビンに吸収された後、その反射光を上記光プローブで受光して分析され、脳血流の状態が測定される。酸素化ヘモグロビンと脱酸素化ヘモグロビンは、吸収波長が異なるため、反射光の分析によって両ヘモグロビン量の濃度を区別して測定することができる。近赤外分光法を用いた測定装置としては、スペクトラテック社製のＯＥＧ−１６、ＯＥＧ−１６ＭＥ、ＯＥＧ−ＡＰＤ、島津製作所製のＬＡＢＮＩＲＳ、ＬＩＧＨＴＮＩＲＳ、日立製作所製のＷＯＴ−ＨＳ、ＷＯＴ−２２０、ＷＯＴ−１００、ＨＯＴ−１０００等が挙げられる。
【００２０】
眼窩前頭皮質の活性度は、図１で示す６、９及び１２の部位における測定値、背外側前頭前野の活性度は、図１で示す１、２及び３、並びに１４、１５及び１６の部位における酸素化ヘモグロビン濃度変化及び脱酸素化ヘモグロビン濃度変化により評価できる。これらの脳領域とチャネル部位との対応関係は、3次元位置計測装置を用いて取得した座標データを基に、確率的レジストレーション法により推定される（Spatial registration of multichannel multi-subject fNIRS data to MNI space without MRI. Singh AK, Okamoto M, Dan H, Jurcak V, Dan I. Neuroimage. 2005; 27(4):842-51.＜文献Ａ＞）。３次元位置計測装置としては、ポヒマス社製のFASTRAK等が挙げられる。尚、活性度は、測定された酸素化ヘモグロビン濃度の時系列データに対し、Yamada T et al. PLoS One 7(11), e50271 (2012).10.1371/journal.pone.0050271に記載の血流動態分離法を用いて全身性由来のノイズを取り除いた上で、刺激中の酸素化ヘモグロビン濃度の時間平均と安静状態の酸素化ヘモグロビン濃度の時間平均との差を、安静状態の酸素化ヘモグロビン濃度の標準偏差で除算することによって標準化した値によって決定される。
【００２１】
後記実施例で示すように、眼窩前頭皮質の活性度はモーズレイ性格検査における「神経症的傾向スコア」と負の相関が認められ（図４−１）、背外側前頭前野の活性度の微分値はモーズレイ性格検査における「外向性スコア」と正の相関が認められた（図４−２）。また、前頭極の活性度は角層水分量と負の相関が認められた（図４−３）。
モーズレイ性格検査（Maudsley Personality Inventory（ＭＰＩ））は、外向性（Extraversion）又は内向性（Introversion）＜Ｅ尺度＞と神経症的傾向（Neuroticism）＜Ｎ尺度＞の二つの性格特性を同時に測ることを目的とした性格検査である。これら二つの性格特性は、理論的には相互に重複することがなく、従って、それぞれの尺度得点の組合せによっていくつかの性格像を描き出すことができる（文献：Eysenck, H. J., The questionnaire measurement of neuroticism and extraversion. Rivista di Psychol., 1950, 50, 113-140. ）。図２にモーズレイ性格検査の判定チャートを示す。図中の数値はＥ，Ｎ各尺度の基準得点を示す。Ｅ尺度の得点が２９点を上回ると外向性が高いと判定され、Ｅ尺度の得点が１９点を下回ると外向性が低いと判定される。また、Ｎ尺度の得点が２９点を上回ると神経症的傾向が高い判定され、Ｎ尺度の得点が１９点を下回ると神経症的傾向が低いと判定される。
角層水分量は、皮膚表面から１５μｍ程度に含まれる水分量を、電解を皮膚に発生させることによって生じる静電容量を計測することにより算出される。気温２１度、湿度５０％の環境下において、角層水分量が３０（a.u.）以下の人は超乾燥肌、角層水分量が３０〜４０（a.u.）の人は乾燥肌と判定される（文献：U. Heinrich et al. Int J Cosmet Sci. 2003 Apr;25(1-2):45-53）。
【００２２】
眼窩前頭皮質の活性度について、「神経症的傾向スコア」と負の相関が認められたことから、眼窩前頭皮質の活性度が低い程、神経症的傾向が高いと評価でき、同様に眼窩前頭皮質の活性度が高い程、神経症的傾向が低いと評価できる。また、背外側前頭前野の活性度の微分値について、「外向性スコア」と正の相関が認められたことから、背外側前頭前野の活性度の微分値が高い程、外向性が高いと評価でき、同様に背外側前頭前野の活性度の微分値が低い程、外向性が低いと評価できる。
【００２３】
ここで、「外向性」は、社交的・開放的で動作や感情の表現にためらいのない傾向を意味し、「神経症的傾向」とは、情動（感情・情緒）の過敏性を示す傾向であって、わずかなストレスに対しても容易に神経症的混乱を引き起こすような人に見られる性格特徴であり、いわゆる神経質で落ち着きのない、いつでも緊張している人柄と印象づけられる、情緒不安定な性格特徴を意味する。
【００２４】
また、前頭極の活性度については角層水分量と負の相関が認められたことから、前頭極の活性度に基づいて肌特性の評価が可能であり、具体的には前頭極の活性度が低い程、刺激部位における保湿機能が高いと評価でき、同様に前頭極の活性度が高い程、刺激部位における保湿機能が低いと評価できる。ここで、「保湿機能」とは、適度な水分を保持し、皮膚に柔軟性を持たせる働きを意味する。
【００２５】
眼窩前頭皮質、背外側前頭前野及び前頭極の各領域の活性度として、近赤外線分光法を用いて酸素化ヘモグロビン及び脱酸素化ヘモグロビンの濃度変化を計測する場合における性格特性の判定は、例えば、眼窩前頭皮質において、活性度が−１８を下回る場合には、モーズレイ性格検査におけるＮ尺度の得点が２９点を上回ると評価し、神経症的傾向が高いと判定する。一方、活性度が−８を上回る場合には、Ｎ尺度の得点が１９点を下回ると評価し、神経症的傾向が低いと判定する。また、背外側前頭前野において、活性度の微分値が０．６を上回る場合には、Ｅ尺度の得点が２９点を上回ると評価し、外向性が高いと判定する。一方、活性度の微分値が０．２を下回る場合には、Ｅ尺度の得点が１９点を下回ると評価し、外向性が低いと判定する。尚、活性度の微分値は、酸素化ヘモグロビン濃度の微分波形において、刺激中の酸素化ヘモグロビン濃度の微分値の時間平均と安静状態の酸素化ヘモグロビン濃度の微分値の時間平均との差を、安静状態の酸素化ヘモグロビン濃度の微分値の標準偏差で除算することによって標準化した値によって決定される。
肌特性の判定については、例えば、前頭極において、活性度が−１８を下回る場合には、角層水分量が４０（ａ．ｕ．）を上回ると評価し、保湿機能が高いと判定する。一方、活性度が−６を上回る場合には、角層水分量が３０（ａ．ｕ．）を下回ると評価し、保湿機能が低いと判定する。
【００２６】
斯かる方法により、例えば化粧品を販売する際において、顧客の性格特性を検査することにより、「神経症的傾向」が認められたヒトに対しては、リラックスできるケア方法を提案することができ、「外向性」が認められたヒトに対しては、新しい触感の化粧品を提案するといったアドバイスを行うことが可能となる。
【００２７】
上述した実施形態に関し、本発明においては以下の態様が開示される。
＜１＞以下の工程（１）〜（３）を含む、性格特性の検査方法。
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
＜２＞以下の工程（１）〜（５）を含む、性格特性及び肌特性の検査方法
（１）被験者に、心地良さを惹起し且つ１回の刺激時間が３０〜９０秒間である触覚刺激を呈示する工程
（２）眼窩前頭皮質と背外側前頭前野の活性度を測定する工程
（３）眼窩前頭皮質の活性度と背外側前頭前野の活性度の微分値に基づいて性格特性を評価する工程
（４）前頭極の活性度を測定する工程
（５）前頭極の活性度に基づいて肌特性を評価する工程
＜３＞前記活性度を測定する工程は、脳内血液の酸素化ヘモグロビン濃度の変化及び脱酸素化ヘモグロビン濃度の変化を測定する＜１＞又は＜２＞の方法。
＜４＞性格特性が、神経症的傾向及び外向性から選ばれる１種以上である＜１＞〜＜３＞のいずれかの方法。
＜５＞眼窩前頭皮質の活性度によって神経症的傾向を検査し、背外側前頭前野の活性度の微分値によって外向性を検査する、＜４＞の方法。
＜６＞肌特性が皮膚の保湿機能である＜２＞〜＜４＞のいずれかの方法。
＜７＞眼窩前頭皮質の活性度が低い場合に神経症的傾向が高いと評価し、逆に眼窩前頭皮質の活性度が高い場合に神経症的傾向が低いと評価し、背外側前頭前野の活性度の微分値が高い場合に外向性が高いと評価し、逆に背外側前頭前野の活性度の微分値が低い場合に外向性が低いと評価する、＜５＞の方法。
＜８＞前頭極の活性度が低い場合に、刺激部位における保湿機能が高いと評価し、逆に前頭極の活性度が高い場合に、刺激部位における保湿機能が低いと評価する、＜６＞の方法。
【実施例】
【００２８】
実施例１
（１）脳血流変化の測定
２０〜３０歳代健常者１５名（ＩＤ：１〜１５、うち男性９名）を対象に、前腕外側内２ｃｍ×１０ｃｍ四方の領域３ヶ所に対して、灰リス毛１００％のチークブラシ（エスト：花王株式会社）で速さ５ｃｍ/ｓ〜１０ｃｍ/ｓ、圧力０.５N〜１.０Nで手のひらの方向に撫でる刺激を１回６０秒間、３０秒間隔で計５回呈示した際の脳血流変化を、近赤外分光法（ＮＩＲＳ）（スペクトラテック社製、OEG-16）を用いて測定した。
測定プローブは、下端が眉の上に位置するように装着し、脳血流変化の測定は、図１に示す１〜１６の部位で行った。ここで、１、２及び３、並びに１４、１５及び１６の血流は背外側前頭前野の活性度、４、５、７、８、１０、１１及び１３の血流は前頭極の活性度、６、９及び１２の血流は眼窩前頭皮質の活性度を示すものと推定されている＜前記文献Ａ＞。
【００２９】
（２）刺激の心地良さについて官能評価
（１）の脳血流変化の測定後に、筆で撫でる刺激に対する心地良さについて官能評価を行った。
官能評価は、１０ｃｍ Visual Analogue Scale（Keel KD. The pain chart. Lancet 2：6-8, (1948)）を用い、線分の左端を「とても不快」、右端を「とても快」とした際に、当該刺激の心地良さの程度にあてはまる位置に印を付けてもらい、左端からその印までの距離（ｃｍ）を計測した。
結果を図３に示す。図３より、有意に心地良さを惹起していることが認められた。
【００３０】
（３）角層水分量の測定
一部の被験者（ＩＤ：１〜１０）について、（１）の脳血流変化の測定前後に、刺激部位における角層水分量を、コルネオメーター（Courage+Khazaka社製）を用いて計測した。計測は、気温２４℃、湿度６０％の条件下で行い、１つの刺激領域に対し５回ずつ測定し、その平均値を当該刺激部位における角層水分量とした。結果を表１に示す。表１には、３つの刺激領域における角層水分量を平均した値をそれぞれ示してある。
【００３１】
【表１】
2019042391.tif 000002
【００３２】
（４）モーズレイ性格検査
試験前に同被験者（ＩＤ：１〜１５）に対して、あらかじめモーズレイ性格検査を実施し、神経症的傾向（Ｎ尺度）と内向性−外向性（Ｅ尺度）を評価した。モーズレイ性格検査は、全80項目の質問から構成されており、それぞれの質問についてあてはまる物には「はい」、あてはまらない物には「いいえ」、分からない物には「？」に○を記入してもらった。各尺度（E尺度・N尺度）の得点については所定の採点盤を用いて採点を行った。結果を表２に示す。
【００３３】
【表２】
2019042391.tif 000003
【００３４】
（５）結果
眼窩前頭皮質の活性度とモーズレイ性格検査における神経症的傾向スコアは負の相関が認められ（図４−１）、背外側前頭前野の活性度の微分値とモーズレイ性格検査における外向性スコアは正の相関が認められた（図４−２）。また、前頭極の活性度と角層水分量は負の相関が認められた（図４−３）。
【００３５】
比較例１
（１）実施例１の被験者に対し、刺激部材を筆から肌との接触部が丸い形状の木製乳棒に変え、同様にして脳血流変化を、近赤外分光法（ＮＩＲＳ）を用いて測定し、性格特性及び角層水分量との相関を調べた。尚、木製乳棒による刺激に対する心地良さの官能評価は、図５に示すとおり、有意な心地良さ惹起は認められなかった。
【００３６】
（２）結果
眼窩前頭皮質の活性度と神経症的傾向スコアの間には負の相関が認められたが（図６−１）、背外側前頭前野の活性度の微分値と外向性スコアの間（図６−２）、前頭極の活性度と角層水分量の間（図６−３）には、いずれも相関は認められなかった。
【図１】
2019042391.tif 000004
【図２】
2019042391.tif 000005
【図３】
2019042391.tif 000006
【図４−１】
2019042391.tif 000007
【図４−２】
2019042391.tif 000008
【図４−３】
2019042391.tif 000009
【図５】
2019042391.tif 000010
【図６−１】
2019042391.tif 000011
【図６−２】
2019042391.tif 000012
【図６−３】
2019042391.tif 000013